(57)【要約】【課題】印刷機のインク配管において、ガスバリア性を有し、接液部は耐薬品性を有する軽量で安価なガスバリア性管継手を提供する。【解決手段】実施形態のガスバリア性管継手は、外気に接触する外層をガスバリア性に優れたエチレン・ビニルアルコール共重合樹脂で成形し、インクに接触する内層を、耐薬品性にすぐれたポリプロピレン又はフッ素樹脂で形成したインク配管用継手本体と、前記インク配管用継手本体のチューブ取付部に接続されるチューブ接続機構とを有する。【選択図】図１
2015200335.tif 000002
【特許請求の範囲】
【請求項１】
外気に接触する外層をエチレン・ビニルアルコール共重合樹脂で成形し、インクに接触する内層をポリプロピレン又はフッ素樹脂で形成したインク配管用継手本体と、
前記インク配管用継手本体のチューブ取付部に接続されるチューブ接続機構と
を有するガスバリア性管継手。
【請求項２】
前記ガスバリア性管継手本体同志を接続するためのフランジを有する請求項１に記載のガスバリア性管継手。
【請求項３】
前記フランジの前記外層を前記エチレン・ビニルアルコール共重合樹脂で成形し、前記内層を前記ポリプロピレン又はフッ素樹脂で形成したことを特徴とする請求項２に記載のガスバリア性管継手。
【請求項４】
前記ガスバリア性管継手本体の前記チューブ接続機構がチューブ着脱可能に構成された請求項１乃至３のいずれか１項に記載のガスバリア性管継手。
【請求項５】
前記チューブ取付部のチューブ着脱部品挿入部が前記ポリプロピレン又はフッ素樹脂の単層構造であることを特徴とする請求項１に記載のガスバリア性管継手。
【発明の詳細な説明】
【技術分野】
【０００１】
本発明の実施形態は、インク配管用のガスバリア性管継手に関するものである。
【背景技術】
【０００２】
印刷機のインク配管用のパイプや継手に、ポリプロピレンなどの一般的な樹脂で形成されたものを使用すると、樹脂から透過した酸素などのガスが配管内のインクに影響を与えて、インクに「だま」などが発生し、印刷不良の原因となることがある。そのため、パイプ及び継手にはガスバリア性が要求されると共に、接液部にはインクに対する耐薬品性が要求されている。その要求を満たすため、従来ではステンレス等の金属のパイプ及び継手が使用されている。
【０００３】
図３は、従来の印刷機のインク配管の構成を示す図である。図３（ａ）はその上面図であり、図３（ｂ）は側面図である。ステンレス材質のパイプ４１に継手を取り付けるため所定の間隔毎に雌ねじ加工４２が施され、そのねじ加工した箇所にステンレス製継手４３をねじ込み、取り付けた構成である。継手４３を取り付けた後、継手４３の取り付けが正常に行われているか確認するため、取り付け部分の漏れ試験が行われる。このようなインク配管構造では、パイプ４１と継手４３の材質がステンレスであるため、重量が重く、高価なものである。
【０００４】
継手４３の材質としてエチレン・ビニルアルコール共重合樹脂（ＥＶＯＨ）を使用すれば、酸素などのガスバリア性は良いが、インクに対する耐薬品性が悪いと言う問題がある。同様にポリプロピレン（ＰＰ）又はフッ素樹脂を用いると耐薬品性は良いが、ガスバリア性に問題がある。
【先行技術文献】
【特許文献】
【０００５】
【特許文献１】米国公開番号２００６／０２４９２１６Ａ１
【発明の概要】
【発明が解決しようとする課題】
【０００６】
本発明が解決しようとする課題は、印刷機のインク配管において、ガスバリア性を有し、接液部は耐薬品性を有する軽量で安価なガスバリア性管継手を提供することを目的とする。
【課題を解決するための手段】
【０００７】
上記目的を達成するために、実施形態のガスバリア性管継手は、外気に接触する外層をエチレン・ビニルアルコール共重合樹脂で成形し、インクに接触する内層をポリプロピレン又はフッ素樹脂で形成したインク配管用継手本体と、前記インク配管用継手本体のチューブ取付部に接続されるチューブ接続機構とを有することを特徴とする。
【発明の効果】
【０００８】
実施形態のガスバリア性管継手によれば、インクに対する耐薬品性が良く、外気から酸素が透過しない高いガスバリア性を有すると共に、軽量で安価な継手を提供することができる。
【図面の簡単な説明】
【０００９】
【図１】実施形態のガスバリア性管継手本体の構造を示す図。
【図２】実施形態のガスバリア性管継手同志を接続した状態を示す図。
【図３】従来の印刷機のインク配管の構成を示す図。
【発明を実施するための形態】
【００１０】
本発明に係るガスバリア性管継手の実施形態を、図面を参照して説明する。
図１は本実施形態のガスバリア性管継手本体１０の構成を示す図である。図１（ａ）は、ガスバリア性管継手本体１０の長手方向から見た正面図、図１（ｂ）はガスバリア性管継手本体１０の図１（ｃ）のＡ−Ａから見た断面図、図１（ｃ）はガスバリア性管継手本体１０のフランジ側から見た側面図である。
【００１１】
ガスバリア性管継手本体１０は、左端並びに右端にフランジ１５が形成されていると共に、フランジ１５−１５間のインク通路２０ａを内部に形成するパイプ部２０と、パイプ部２０の略中央部に外部機器との接続用の樹脂チューブを取り付けるチューブ取付部２５を有する。チューブ取付部２５の取り付け方向は、ガスバリア性管継手本体１０を任意に回転することにより、自由に変更することができる。
【００１２】
ガスバリア性管継手本体１０の内部は、図１（ｂ）に示すように、ガスバリア性に優れたエチレン・ビニルアルコール共重合樹脂（ＥＶＯＨ樹脂と称する）で成形された外層２１と、耐薬品性にすぐれたポリプロピレン（ＰＰと称する）又はフッ素樹脂で成形された内層２２からなる。前記外層２１は、外気に接触する層であり、前記内層２２はインクに接触する層である。ここで注目すべき点は、チューブ取付部２５の樹脂チューブ着脱部品挿入部１３は、挿入されるチューブ自体がガスバリア性と耐薬品性を同時にもつものを使用するため、ＰＰ又はフッ素樹脂の単層構造としている。
【００１３】
ガスバリア性管継手本体１０の両端のフランジ１５は、後述するシール材３１を装着する円形の溝１７と、後述するフランジ１５同志を接続するための複数のボルト穴１９（図１では４個所）を有する。溝１７の深さはシール材３１（図２を参照）の幅の１／２よりやや小さい幅であり、２つのフランジ１５が合わさった時に形成される溝内にシール材３１が収納される。  図２は、第１ガスバリア性管継手１０ａと第２ガスバリア性管継手１０ｂ同志を接続した場合の接合部を示す配管図である。また、各ガスバリア性管継手１０ａ、１０ｂにはチューブ接続部品５０を挿入した接続状態を示している。なお、図２も図１（ｃ）のＡ−Ａから見た断面としており、１箇所のボルト接続のみ示している。
【００１４】
図２に示すように、継手の接続は、第１ガスバリア性管継手１０ａと第２ガスバリア性管継手１０ｂのフランジ１５を対向させて、円形のシール材装着溝１７にエチレン・プロピレン・ジエンゴム（ＥＰＤＭ）又はフッ素ゴム（ＦＫＭ）などの弾性体で形成されたシール材３１を装着した後、両者を合わせている。そして、複数個あるボルト穴１９（例えば、図１（ｃ）の４箇所）にボルト３２を挿入し、ナット３３をねじ込み、適正トルクで締め付けて固定する。ボルト３２とナット３３の材質は、継手と継手のシール性を確保できれば、どの様な材質のものでも良い。このような接続を繰り返し行うことにより、図３に示した長さのインク配管が形成することができる。
次に、ガスバリア性管継手１０ａ、１０ｂに挿入したチューブ接続部品５０の構成について説明する。
【００１５】
チューブ接続部品５０のチューブシール３は、例えばエチレン・プロピレン・ジエンゴム（ＥＰＤＭ）又はフッ素ゴム（ＦＫＭ）などの弾性体で形成され、バックリング４は、ステンレス又はＰＰ、係止リング５及びカラー６はステンレス、リリーススリーブ７はＰＰで形成される。係止リング５は、チューブ接続部品５０内に挿入されるチューブを保持するための爪を有する皿ばねである。
【００１６】
カラー６は、係止リング５を保持しており、リリーススリーブ７の抜け止め部材である。即ち、カラー６は、チューブ取付部２５の樹脂チューブの挿入口側に固定され、バックリング４を抜け止め状態で固定する。
【００１７】
リリーススリーブ７は、カラー６に対し、その内側にて進退可能に配設され、樹脂チューブの取り外し時、係止リング５の爪を奥側へと押圧して樹脂チューブと爪の係合を解除する。
【００１８】
本発明の実施形態は、例として提示したものであり、発明の範囲を限定することは意図していない。例えば、チューブ接続部分は着脱機構ではなく、締め込み型の機構でも良い。ひとつのガスバリア性管継手に対して複数のチューブ接続部分を有しても良い。
【００１９】
これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００２０】
１０  ガスバリア性管継手本体
１０ａ，１０ｂ  ガスバリア性管継手
１５  フランジ
１７  溝
１９  ボルト穴
２０  パイプ部
２１  外層（ＥＶＯＨ樹脂）
２２  内層（ＰＰ）
２５  チューブ取付部
３１  シール材
３２  ボルト
３３  ナット
５０  チューブ接続部品
【図１】
2015200335.tif 000003
【図２】
2015200335.tif 000004
【図３】
2015200335.tif 000005